(57)【特許請求の範囲】
【請求項１】
映像信号が供給される各画素群がゲート信号線に供給される走査信号によって選択される液晶表示パネルと、この液晶表示パネルの背面に配置されるバックライトとを有し、
前記バックライトは、複数の光源を備えており、
前記液晶表示パネルの各フレームの順次表示の際に、各フレーム毎に、少なくとも前記液晶表示パネルの中央部を照射する前記光源と、前記液晶表示パネルの中央部の両脇のうち少なくとも一方を照射する前記光源とは、点灯のデューディが異なることを特徴とする液晶表示装置。
【請求項２】
前記液晶表示パネルの中央部を照射する光源は点灯と消灯を繰り返し、前記液晶表示パネルの中央部の両脇のうち少なくとも一方を照射する光源は点灯を維持することを特徴とする請求項１に記載の液晶表示装置。
【請求項３】
前記液晶表示パネルの中央部の両脇のうち少なくとも一方を照射する光源は隣接する他の光源との配列ピッチが、前記液晶表示パネルの中央部を照射する前記光源と隣接する他の光源との配列ピッチよりも大きいことを特徴とする請求項２に記載の液晶表示装置。
【請求項４】
前記液晶表示パネルの中央部を照射する光源の点灯のデューティは、前記液晶表示パネルの中央部の両脇のうち少なくとも一方を照射する光源の点灯のデューティよりも小さいことを特徴とする請求項１に記載の液晶表示装置。
【請求項５】
前記各光源はそれぞれ周波数を同じにして点灯と消灯を繰り返すとともに、前記液晶表示パネルの中央部を照射する光源の点灯と消灯の周波数は、前記液晶表示パネルの中央部の両脇のうち少なくとも一方を照射する光源の点灯と消灯の周波数よりも小さいことを特徴とする請求項１に記載の液晶表示装置。
【請求項６】
前記液晶表示パネルの中央部を照射する光源は点灯と消灯を繰り返すとともに、前記液晶表示パネルの中央部の両脇のうち少なくとも一方を照射する光源は点灯を維持するとともに前記液晶表示パネルの中央部を照射する光源よりも供給電流あるいは供給電圧を小さいことを特徴とする請求項１に記載の液晶表示装置。
【請求項７】
前記バックライトは、液晶表示パネルの面とほぼ平行な面にて、前記ゲート信号線に平行に延在されそれに交差する方向に並設された複数の線状の光源を備えていることを特徴とする請求項１ないし６のいずれか１項に記載の液晶表示装置。
【発明の詳細な説明】
【技術分野】
【０００１】
本発明は液晶表示装置に係り、特に、液晶表示パネルとこの液晶表示パネルの背面に配置されるバックライトとから構成される液晶表示装置に関する。
【背景技術】
【０００２】
この種の液晶表示装置は、バックライトからの光を液晶表示パネルの各画素毎に光透過量が制御される液晶表示パネルを介して観察することによって映像として認識するようになっている。
【０００３】
ここで、液晶表示パネルは、液晶を介して対向配置される各基板のうち一方の基板の液晶側の面の各画素領域にゲート信号線からのゲート信号の供給により駆動するスイッチング素子と、このスイッチング素子を介してドレイン信号線からの映像信号が供給される画素電極を備えたものが知られている。
【０００４】
前記画素電極は例えばこの画素電極に隣接して配置される対向電極との間に電界を発生せしめ、この電界によって液晶の光透過率が制御されるようになっている。
【０００５】
一方、バックライトは、液晶表示パネルの大型化にともない光照射の均一化を図るため、該液晶表示パネルを含む平面と平行な平面内に配置された複数の線状光源（たとえば冷陰極線管）と、この光源の背面に配置され該光源からの光を液晶表示パネル側へ反射させる反射板とから構成されるいわゆる直下型と称されるものが使用されてきている。
【０００６】
そして、液晶表示パネルの表示の駆動とともに該バックライトの点灯はそのまま維持されていた。
【発明の概要】
【発明が解決しようとする課題】
【０００７】
しかしながら、このように構成された液晶表示装置は、静止画の映像に関しては鮮明な表示ができるものの、動画像の映像に関して充分な鮮明度が得られないということが指摘されるに到っている。
【０００８】
近年、テレビ画像を液晶表示装置に表示することが試みられるにしたがって、このような不都合を無視できなくなっているからである。
【０００９】
すなわち、動画像の表示においては、各画素の時間に対する輝度変化が大きく、それに対して液晶の駆動が充分に追随できないことが原因し、たとえば、表示される移動物がある個所から他の個所へ移動する際に、ある個所における残像が認識されて該移動物の全体がぼけた状態で表示されるようになる。
【００１０】
それ故、本発明はこのような事情に基づいてなされたもので、その目的は、極めて簡単な構成にも拘らず、鮮明な動画像を表示することのできる液晶表示装置を提供することにある。
【００１１】
また、本発明の他の目的は、バックライトの消費電力を増加させることなく鮮明かつ明るい動画像を表示することのできる液晶表示装置を提供することにある。
【課題を解決するための手段】
【００１２】
本願において開示される発明のうち、代表的なものの概要を簡単に説明すれば、以下のとおりである。
【００１３】
手段１．
本発明による液晶表示装置は、たとえば、バックライトを有する液晶表示装置であって、前記バックライトは、第１の量の光を出力する第１の状態と第２の量の光を出力する第２の状態とを有し、前記第１の状態の時間と前記第２の状態の時間とが制御されていることを特徴とするものである。
【００１４】
手段２．
本発明による液晶表示装置は、たとえば、バックライトを有する液晶表示装置であって、前記バックライトは、第１の電圧が印加される第１の状態と第２の電圧が印加される第２の状態とを有し、前記第１の状態の時間と前記第２の状態の時間とが制御されていることを特徴とするものである。
【００１５】
手段３．
本発明による液晶表示装置は、たとえば、複数の走査線を有する液晶表示パネルと、バックライトを有する液晶表示装置であって、前記バックライトには、第１の電圧と第２の電圧とが所定の周期で印加され、前記所定の周期は、前記複数の走査線を制御する周期と同期していることを特徴とするものである。
【００１６】
手段４．
本発明による液晶表示装置は、たとえば、液晶表示パネルと、この液晶表示パネルの背面に配置されたバックライトとを備え、
前記バックライトは点灯と消灯が繰り返され、その点灯時間と消灯時間との比を制御する手段を具備することを特徴とするものである。
【００１７】
手段５．
本発明による液晶表示装置は、たとえば、液晶を介して対向配置される各基板のうち一方の基板の液晶側の面の各画素領域にゲート信号線からのゲート信号の供給により駆動するスイッチング素子と、このスイッチング素子を介してドレイン信号線からのドレイン信号が供給される画素電極を備える液晶表示パネルと、この液晶表示パネルの背面に配置されたバックライトとを備え、
前記バックライトは前記走査信号の供給開始に同期させて点灯と消灯が繰り返され、その点灯時間と消灯時間との比を制御する手段を具備することを特徴とするものである。
【００１８】
手段６．
本発明による液晶表示装置は、たとえば、手段３の構成を前提に、前記バックライトの点灯と消灯はデータ書き換えの同期信号と次の同期信号の間の期間に一回づつなされることを特徴とするものである。
【００１９】
手段７．
本発明による液晶表示装置は、たとえば、液晶表示パネルと、この液晶表示パネルの背面に配置されたバックライトとを有し、
該液晶表示パネルは、一対の基板に介在される液晶の広がり方向に多数の画素の集合からなる液晶表示部を構成し、これら各画素には映像信号が独立に供給される画素電極を備えてなり、
各画素領域の画素電極への映像信号の変化の大小を液晶表示部全体として検出する検出手段と、
この検出手段によって映像信号の変化が大きい場合に前記バックライトの点灯と消灯を繰り返させるバックライト点滅手段とを具備することを特徴とするものである。
【００２０】
手段８．
本発明による液晶表示装置は、たとえば、手段７の構成を前提に、検出手段によって映像信号の変化が大きい場合にその大きさの程度に応じて点灯時間のデューティを小さくするバックライト点滅制御手段を具備することを特徴とするものである。
【００２１】
手段９．
本発明による液晶表示装置は、たとえば、手段８の構成を前提に、バックライト点滅制御手段は、点灯時間のデューティが小さい場合にバックライトに供給する電流を大きくする手段を備えることを特徴とするものである。
【００２２】
手段１０．
本発明による液晶表示装置は、たとえば、液晶表示パネルと、この液晶表示パネルの背面に配置されたバックライトとを有し、
該液晶表示パネルは、一対の基板に介在される液晶の広がり方向に多数の画素の集合からなる液晶表示部を構成し、これら各画素には映像信号が独立に供給される画素電極を備えてなり、
各画素領域の画素電極への映像信号の変化の大小を液晶表示部の一部の領域として検出する検出手段と、
この検出手段によって映像信号の変化が大きい場合に前記バックライトの点灯と消灯を繰り返させるバックライト点滅手段とを具備することを特徴とするものである。
【００２３】
手段１１．
本発明による液晶表示装置は、たとえば、液晶表示パネルの一方の基板の液晶側の面にｘ方向に延在しｙ方向に並設されるゲート信号線とｙ方向に延在しｘ方向に並設されるドレイン信号線で囲まれる各領域を画素領域とし、これら各画素領域に、片側のゲート信号線からの走査信号によって駆動されるスイッチング素子と、このスイッチング素子を介してドレイン信号線からの映像信号が供給される画素電極を備え、
前記液晶表示部の一部の領域は、互いに隣接して配置される一部のゲート信号線によって駆動される画素電極を備える各画素領域の集合領域とすることを特徴とするものである。
【００２４】
手段１２．
本発明による液晶表示装置は、たとえば、手段１１の構成を前提に、前記液晶表示部の一部の領域は液晶表示部のほぼ中央を走行する各ゲート信号線によって駆動される画素電極を備える各画素領域の集合領域とすることを特徴とするものである。
【００２５】
手段１３．
本発明による液晶表示装置は、たとえば、手段１１の構成を前提に、前記液晶表示部の一部の領域は液晶表示部のほぼ中央を除く少なくとも一方の側を走行する各ゲート信号線によって駆動される画素電極を備える各画素領域の集合領域とすることを特徴とするものである。
【００２６】
手段１４．
本発明による液晶表示装置は、たとえば、手段１０の構成を前提に、検出手段によって映像信号の変化が大きい場合にその大きさの程度に応じて点灯時間のデューティを小さくするバックライト点滅制御手段を具備することを特徴とするものである。
【００２７】
手段１５．
本発明による液晶表示装置は、たとえば、手段１４の構成を前提に、バックライト点滅制御手段は、点灯時間のデューティが小さい場合にバックライトに供給する電流を大きくする手段を備えることを特徴とするものである。
【００２８】
手段１６．
本発明による液晶表示装置は、たとえば、液晶表示パネルと、この液晶表示パネルの背面に配置されたバックライトとを有し、
該液晶表示パネルは、一対の基板に介在される液晶の広がり方向に多数の画素の集合からなる液晶表示部を構成し、これら各画素には映像信号が独立に供給される画素電極と、この画素電極と該映像信号に対応する電界を発生せしめる対向電極とを備え、
前記電界により液晶の光透過率が大きくなる場合に該映像信号が大きいとした場合に、
液晶表示部全体の平均として各画素領域の画素電極への映像信号の大小を検出する検出手段と、
この検出手段によって映像信号が大きい場合に前記バックライトの点灯と消灯を繰り返させるバックライト点滅手段とを具備することを特徴とするものである。
【００２９】
手段１７．
本発明による液晶表示装置は、たとえば、手段１６の構成を前提として、検出手段によって映像信号が大きい場合にその大きさの程度に応じて点灯時間のデューティを大きくするバックライト点滅制御手段を具備することを特徴とするものである。
【００３０】
手段１８．
本発明による液晶表示装置は、たとえば、液晶表示パネルと、この液晶表示パネルの背面に配置されるバックライトとを有し、
前記バックライトは、液晶表示パネルの面とほぼ平行な面にて、そのｘ方向に延在されｙ方向に並設された複数の線状の光源を備え、
表示駆動時に、前記各光源のうち、中央部に配置される光源は点灯と消灯を繰り返し、それ以下の他の光源は点灯を維持するように構成したことを特徴とするものである。
【００３１】
手段１９．
本発明による液晶表示装置は、たとえば、手段１８の構成を前提として、液晶表示パネルは、液晶を介して対向配置される基板のうち一方の基板の液晶側の面にｘ方向に延在しｙ方向に並設されるゲート信号線とｙ方向に延在しｘ方向に並設されるドレイン信号線で囲まれる各領域を画素領域とし、これら各画素領域に、片側のゲート信号線からの走査信号によって駆動されるスイッチング素子と、このスイッチング素子を介してドレイン信号線からの映像信号が供給される画素電極を備えることを特徴とするものである。
【００３２】
手段２０．
本発明よる液晶表示装置は、たとえば、手段１８の構成を前提として、液晶表示パネルの各画素領域の集合からなる液晶表示部のうち点灯と消灯が繰り返される前記各光源で定まる平面と対向する部分にて、
その部分の各画素領域の画素電極への映像信号の変化を検出し、この変化の大きさの程度に応じて点灯時間のデューティを大きくするバックライト点滅制御手段を具備することを特徴とするものである。
【００３３】
手段２１．
本発明による液晶表示装置は、たとえば、液晶表示パネルと、この液晶表示パネルの背面に配置されるバックライトとを有し、
前記バックライトは、液晶表示パネルの面とほぼ平行な面にて、そのｘ方向に延在されｙ方向に並設された複数の線状の光源を備え、
表示駆動時に、前記各光源は点灯と消灯を繰返し、中央部に配置される光源の点灯のデューティは他の光源の点灯のデューティよりも小さいように構成したことを特徴とするものである。
【００３４】
手段２２．
本発明による液晶表示装置は、たとえば、映像信号が供給される各画素群がゲート信号線に供給される走査信号によって選択される液晶表示パネルと、この液晶表示パネルの背面に配置されるバックライトとを有し、
前記バックライトは、液晶表示パネルの面とほぼ平行な面にて、前記ゲート信号線に平行に延在されそれに交差する方向に並設された複数の線状の光源を備えてなり、
少なくとも中央部に配置される光源は点灯と消灯を繰り返し、該中央部の両脇のうち少なくとも一方に配置される光源は点灯を維持するように構成したことを特徴とするものである。
【００３５】
手段２３．
本発明による液晶表示装置は、たとえば、映像信号が供給される各画素群がゲート信号線に供給される走査信号によって選択される液晶表示パネルと、この液晶表示パネルの背面に配置されるバックライトとを有し、
前記バックライトは、液晶表示パネルの面とほぼ平行な面にて、前記ゲート信号線に平行に延在されそれに交差する方向に並設された複数の線状の光源を備えてなり、
前記液晶表示パネルの各フレームの順次表示の際に、各フレーム毎に、少なくとも中央部に配置される光源は位相を変えることなく点灯と消灯を繰り返し、前記中央部の両脇のうち少なくとも一方に配置される光源は位相がずれて点灯と消灯を繰り返すように構成したことを特徴とするものである。
【００３６】
手段２４．
本発明による液晶表示装置は、たとえば、映像信号が供給される各画素群がゲート信号線に供給される走査信号によって選択される液晶表示パネルと、この液晶表示パネルの背面に配置されるバックライトとを有し、
前記バックライトは、液晶表示パネルの面とほぼ平行な面にて、前記ゲート信号線に平行に延在されそれに交差する方向に並設された複数の線状の光源を備えてなり、
前記各光源は周波数を同じにして点灯と消灯を繰り返すとともに、少なくとも中央部に配置される光源の点灯と消灯の周波数は前記中央部の両脇のうち少なくとも一方に配置される光源の点灯と消灯の周波数よりも小さく構成されていることを特徴とするものである。
【００３７】
手段２５．
本発明による液晶表示装置は、たとえば、映像信号が供給される各画素群がゲート信号線に供給される走査信号によって選択される液晶表示パネルと、この液晶表示パネルの背面に配置されるバックライトとを有し、
前記バックライトは、液晶表示パネルの面とほぼ平行な面にて、前記ゲート信号線に平行に延在されそれに交差する方向に並設された複数の線状の光源を備えてなり、
前記各光源は点灯と消灯を繰り返すとともに、少なくとも中央部に配置される光源の点灯のデューティは前記中央部の両脇のうち少なくとも一方に配置される光源の点灯のデューティよりも小さく構成されていることを特徴とするものである。
【００３８】
手段２６．
本発明による液晶表示装置は、たとえば、映像信号が供給される各画素群がゲート信号線に供給される走査信号によって選択される液晶表示パネルと、この液晶表示パネルの背面に配置されるバックライトとを有し、
前記バックライトは、液晶表示パネルの面とほぼ平行な面にて、前記ゲート信号線に平行に延在されそれに交差する方向に並設された複数の線状の光源を備えてなり、
少なくとも中央部に配置される光源は点灯と消灯を繰り返し、中央部の両脇のうち少なくとも一方に配置される光源は点灯を維持するとともに前記中央部に配置される光源よりも供給電流あるいは供給電圧を小さくするように構成したことを特徴とするものである。
【００３９】
手段２７．
本発明による液晶表示装置は、たとえば、映像信号が供給される各画素群がゲート信号線に供給される走査信号によって選択される液晶表示パネルと、この液晶表示パネルの背面に配置されるバックライトとを有し、
前記バックライトは、液晶表示パネルの面とほぼ平行な面にて、前記ゲート信号線に平行に延在されそれに交差する方向に並設された複数の線状の光源を備えてなり、
少なくとも中央部に配置される各光源は点灯と消灯を繰り返し、該中央部の両脇のうち少なくとも一方に配置される光源は点灯を維持するとともに、
前記両脇のうち少なくとも一方に配置される光源は隣接する他の光源との配列ピッチが中央部に配置される各光源の配列ピッチよりも大きくなっていることを特徴とするものである。
【００４０】
手段２８．
本発明による液晶表示装置は、たとえば、映像信号が供給される各画素群がゲート信号線に供給される走査信号によって選択される液晶表示パネルと、この液晶表示パネルの背面に配置されるバックライトとを有し、
前記バックライトは、液晶表示パネルの面とほぼ平行な面にて、前記ゲート信号線に平行に延在されそれに交差する方向に並設された複数の線状の光源を備えてなり、
少なくとも中央部に配置される光源は点灯と消灯を繰り返し、該中央部の両脇のうち少なくとも一方に配置される光源は点灯を維持するとともに、
中央部に配置される光源およびその両脇のうち少なくとも一方に配置される光源のうち少なくとも一方はその供給電流あるいは供給電圧の大小を制御できるように構成されていることを特徴とするものである。
【００４１】
手段２９．
本発明による液晶表示装置は、たとえば、映像信号が供給される各画素群がゲート信号線に供給される走査信号によって選択される液晶表示パネルと、この液晶表示パネルの背面に配置されるバックライトとを有し、
前記バックライトは、液晶表示パネルの面とほぼ平行な面にて、前記ゲート信号線に平行に延在されそれに交差する方向に並設された複数の線状の光源を備えてなり、
中央部に配置される光源およびその両脇のうち少なくとも一方に配置される光源のうち少なくとも一方は消灯に対する点灯のデューティを制御できるように構成されていることを特徴とするものである。
【００４２】
手段３０．
本発明による液晶表示装置は、たとえば、液晶表示パネルとバックライトを有し、該バックライトは点灯と消灯を繰り返し可能な構成であり、
動画と静止画で表示モードを切り替え可能な構成を有し、動画表示モードでバックライトの点灯と消灯を行う液晶表示装置であって、
動画表示時の画面書き換え周波数を静止画表示時より高くすることを特徴とするものである。
【００４３】
手段３１．
本発明による液晶表示装置は、たとえば、手段１ないし３０の各構成において、動画と静止画を切り替えて表示するモードを有し、動画モードの場合にバックライトの点灯と消灯の繰り返しを行うことを特徴とするものである。
【００４４】
手段３２．
本発明による液晶表示装置は、たとえば、複数の走査線を有する液晶表示パネルと、バックライトを有する液晶表示装置であって、
前記バックライトは、前記複数の走査線を制御する周期内に、時間経過とともに異なる複数の光量を液晶表示パネル側に照射するように構成されていることを特徴とするものである。
【００４５】
手段３３．
本発明による液晶表示装置は、たとえば、手段３２の構成において、複数の光量は第１の光量、第２の光量、および第３の光量からなり、これら各光量のうち少なくともいずれか一つの光量の時間の長さが制御できるように構成されていることを特徴とするものである。
【００４６】
手段３４．
本発明による液晶表示装置は、たとえば、複数の走査線を有する液晶表示パネルと、この液晶表示パネルとほぼ平行な仮想の面に並設して配置さる複数の光源を有するバックライトとを備え、
前記複数の光源は前記走査信号の供給開始後から点灯と消灯が繰り返され、少なくとも一つの光源は前記走査信号を制御する少なくとも一つの周期にて遅延されて点灯がなされることを特徴とするものである。
【００４７】
手段３５．
本発明による液晶表示装置は、たとえば、手段３４の構成を前提として、遅延されて点灯される前記光源の前記点灯は、その走査線を制御する周期の時間積分値が他の光源の点灯あるいは走査線を制御する他の周期の時間積分値とほぼ同じであることを特徴とするものである。
【００４８】
手段３６．
本発明による液晶表示装置は、たとえば、手段３４の構成を前提として、前記遅延は前記走査信号の供給開始時点からマイナス８ｍｓからプラス８ｍｓの範囲内にあることを特徴とするものである。
【００４９】
手段３７．
本発明による液晶表示装置は、たとえば、複数の走査線を有する液晶表示パネルと、バックライトを有する液晶表示装置であって、
前記バックライトは、前記複数の走査線を制御する周期内に、時間経過とともに異なる複数の光量を液晶表示パネル側に照射するように構成され、
複数の画面走査のうち１回の画面走査にあってその画面が黒表示となるように走査されるように構成されていることを特徴とするものである。
【００５０】
手段３８．
本発明による液晶表示装置は、たとえば、複数の走査線を有する液晶表示パネルと、この液晶表示パネルと平行な仮想の面内に前記走査線の延在方向に配置され該方向と交差する方向に延在された複数の光源を備えるバックライトとを備え、
複数の画面走査のうち１回の画面走査にあってその画面が黒表示となるように走査され、
この走査の期間内に、前記各光源のうち少なくとも一つがその光量を変化する周期が繰り返されるように構成されていることを特徴とするものである。
【００５１】
手段３９．
本発明による液晶表示装置は、たとえば、複数の走査線を有する液晶表示パネルと、この液晶表示パネルと平行な仮想の面内に前記走査線の延在方向に配置され該方向と交差する方向に延在された複数の光源を備えるバックライトとを備え、
複数の画面走査のうち１回の画面走査にあってその画面が黒表示となるように走査され、
この走査の期間内に、前記各光源がその光量を変化する周期が繰り返され、少なくともその一つの光源の光量が最小となるように構成されていることを特徴とするものである。
【００５２】
手段４０．
本発明による液晶表示装置は、たとえば、手段３８の構成を前提として、前記光源は、画面走査の周期において、その光量の変化開始時期の遅延が生じていることを特徴とするものである。
【００５３】
手段４１．
本発明による液晶表示装置は、たとえば、手段３８の構成を前提として、前記光源は、画面走査の周期において、その光量の変化開始時期がほぼ均等であることを特徴とするものである。
【発明の効果】
【００５４】
以上説明したことから明らかなように、本発明による液晶表示装置によれば、極めて簡単な構成にも拘らず、鮮明な動画像を表示することができる。
また、鮮明かつ明るく均一性の高い動画像を表示することができる。
【図面の簡単な説明】
【００５５】
【図１】本発明による液晶表示装置のバックライトの点滅の一実施例を示すタイミングチャートである。
【図２】本発明による液晶表示装置の液晶パネルの一実施例を示した平面図である。
【図３】本発明による液晶表示装置の一実施例を示す分解斜視図である。
【図４】本発明による液晶表示装置の画素の一実施例を示す平面図である。
【図５】本発明による液晶表示装置のバックライトの一実施例を示す斜視図である。
【図６】本発明による液晶表示装置において動画像が表示されるか静画像が表示されるかを検出する回路の一実施例を示すブロック図である。
【図７】本発明による液晶表示装置において動画像が表示されるか静画像が表示されるかでバックライトの点灯状態を制御する回路の一実施例を示すブロック図である。
【図８】バックライトの制御信号に対する該バックライトの輝度波形を示す説明図である。
【図９】本発明による液晶表示装置のバックライトの点滅の他の実施例を示すタイミングチャートである。
【図１０】本発明による液晶表示装置の効果を説明する図である。
【図１１】本発明による液晶表示装置の効果を説明する図である。
【図１２】本発明による液晶表示装置の他の実施例を示す説明図である。
【図１３】本発明による液晶表示装置の他の実施例を示す説明図である。
【図１４】本発明による液晶表示装置の他の実施例を示す説明図である。
【図１５】図１４に示す構成をするための理由を示す説明図である。
【図１６】図１４に示す構成をするための理由を示す説明図である。
【図１７】本発明による液晶表示装置の他の実施例を示す説明図である。
【図１８】図１７に示す実施例の効果を示す実験グラフである。
【図１９】本発明による液晶表示装置の他の実施例を示す説明図である。
【図２０】図１９に示す実施例の効果を示す実験グラフである。
【図２１】本発明による液晶表示装置の他の実施例を示す説明図である。
【図２２】本発明による液晶表示装置の他の実施例を示す説明図である。
【図２３】本発明による液晶表示装置の他の実施例を示す説明図である。
【図２４】本発明による液晶表示装置の他の実施例を示す説明図である。
【図２５】本発明による液晶表示装置の他の実施例を示す説明図である。
【図２６】本発明による液晶表示装置の他の実施例を示す説明図である。
【図２７】本発明による液晶表示装置の他の実施例を示す説明図である。
【図２８】本発明による液晶表示装置の他の実施例を示す説明図である。
【図２９】本発明による液晶表示装置の他の実施例を示す説明図である。
【図３０】本発明による液晶表示装置の他の実施例を示す説明図である。
【図３１】本発明による液晶表示装置の他の実施例を示す説明図である。
【図３２】本発明による液晶表示装置の他の実施例を示す説明図である。
【図３３】本発明による液晶表示装置の他の実施例を示す説明図である。
【図３４】本発明による液晶表示装置の他の実施例を示す説明図である。
【図３５】本発明による液晶表示装置の他の実施例を示す説明図である。
【発明を実施するための形態】
【００５６】
以下、本発明による液晶表示装置の実施例を図面を用いて説明する。
実施例１．
〔液晶表示装置の等価回路〕
図２は、本発明による液晶表示装置の一実施例を示す等価回路図である。同図は、回路図ではあるが、実際の幾何学的配置に対応して描かれている。
この実施例では、広い視野角をもつものとして知られているいわゆる横電界方式を採用した液晶表示装置に本発明を適用させている。
【００５７】
まず、液晶表示パネル１があり、その液晶表示パネル１は、液晶を介して互いに対向配置された透明基板１Ａ、１Ｂを外囲器としている。この場合、一方の透明基板（図中下側の基板：マトリックス基板１Ａ）は他方の透明基板（図中上側の基板：カラーフィルタ基板１Ｂ）に対して若干大きく形成され、図中下側と右側の周辺端はほぼ面一に合わせて配置されている。
【００５８】
この結果、一方の透明基板１Ａの図中左側の周辺および図中上側の周辺は他方の基透明板１Ｂに対して外方に延在されるようになっている。後に詳述するが、この部分はゲート駆動回路５およびドレイン駆動回路６が搭載される領域となっている。
【００５９】
各透明基板１Ａ、１Ｂの重畳する領域にはマトリックス状に配置された画素２が構成され、この画素２は、図中ｘ方向に延在されｙ方向に並設される走査信号線３とｙ方向に延在されｘ方向に並設される映像信号線４とで囲まれる領域に形成され、少なくとも、一方の走査信号線３から走査信号の供給によって駆動されるスイッチング素子ＴＦＴと、このスイッチング素子ＴＦＴを介して一方の映像信号線４から供給される映像信号が印加される画素電極とが備えられている。
【００６０】
ここでは、上述したように、各画素２は、いわゆる横電界方式を採用したもので、後に詳述するように、上記のスイッチング素子ＴＦＴおよび画素電極の他に、対向電極および付加容量素子が備えられるようになっている。
【００６１】
そして、各走査信号線３はその一端（図中左側の端部）が透明基板１Ｂ外にまで延在され、透明基板１Ａに搭載されたゲート駆動回路（ＩＣ）５の出力端子に接続されるようになっている。
【００６２】
この場合、ゲート駆動回路５は複数設けられているとともに、前記走査信号線３は互いに隣接するもの同士でグループ化され、これら各グループ化された走査信号線３が近接する各ゲート駆動回路５にそれぞれ接続されるようになっている。
【００６３】
また、同様に、各映像信号線４はその一端（図中上側の端部）が透明基板１Ｂ外にまで延在され、透明基板１Ａに搭載されたドレイン駆動回路（ＩＣ）６の出力端子に接続されるようになっている。
【００６４】
この場合も、ドレイン駆動回路６は複数設けられているとともに、前記映像信号線４は互いに隣接するもの同士でグループ化され、これら各グループ化された映像信号線４が近接する各ドレイン駆動回路６にそれぞれ接続されるようになっている。
【００６５】
一方、このようにゲート駆動回路５およびドレイン駆動回路６が搭載された液晶表示パネル１に近接して配置されるプリント基板１０（コントロール基板１０）があり、このプリント基板１０には電源回路１１等の他に、前記ゲート駆動回路５およびドレイン駆動回路６に入力信号を供給するためのコントロール回路１２が搭載されている。
【００６６】
そして、このコントロール回路１２からの信号はフレキシブル配線基板（ゲート回路基板１５、ドレイン回路基板１６Ａ、ドレイン回路基板１６Ｂ）を介してゲート駆動回路５およびドレイン駆動回路６に供給されるようになっている。
【００６７】
すなわち、ゲート駆動回路５側には、これら各ゲート駆動回路５の入力側の端子にそれぞれ対向して接続される端子を備えるフレキシブル配線基板（ゲート回路基板１５）が配置されている。
【００６８】
そのゲート回路基板１５は、その一部が前記コントロール基板１０側に延在されて形成され、その延在部において、該コントロール基板１０と接続部１８を介して接続されている。
【００６９】
コントロール基板１０に搭載されたコントロール回路１２からの出力信号は、該コントロール基板１０上の配線層、前記接続部１８、さらにはゲート回路基板１５上の配線層を介して各ゲート駆動回路５に入力されるようになっている。
【００７０】
また、ドレイン駆動回路６側には、これら各ドレイン駆動回路６の入力側の端子にそれぞれ対向して接続される端子を備えるドレイン回路基板１６Ａ、１６Ｂが配置されている。
【００７１】
このドレイン回路基板１６Ａ、１６Ｂは、その一部が前記コントロール基板１０側に延在されて形成され、その延在部において、該コントロール基板１０と接続部１９Ａ、１９Ｂを介して接続されている。
【００７２】
コントロール基板１０に搭載されたコントロール回路１２からの出力信号は、該コントロール基板１０上の配線層、前記接続部１９Ａ、１９Ｂ、さらにはドレイン回路基板１６Ａ、１６Ｂ上の配線層を介して各ドイレン駆動回路６に入力されるようになっている。
【００７３】
なお、ドレイン駆動回路６側のドレイン回路基板１６Ａ、１６Ｂは、図示のように、２個に分割されて設けられている。液晶表示パネル１の大型化にともなって、たとえばドレイン回路基板の図中ｘ方向への長さの増大による熱膨張による弊害を防止する等のためである。
【００７４】
そして、コントロール基板１０上のコントロール回路１２からの出力は、ドレイン回路基板１６Ａの接続部１９Ａ、およびドレイン回路基板１６Ｂの接続部１９Ｂをそれぞれ介して、対応するドレイン駆動回路６に入力されている。
【００７５】
さらに、コントロール基板１０には、映像信号源２２からケーブル２３によってインターフェース基板２４を介して映像信号が供給され、該コントロール基板１０に搭載されたコントロール回路１２に入力されるようになっている。
【００７６】
なお、この図では、液晶表示パネル１、ゲート回路基板１５、ドイレン回路基板１６Ａ、１６Ｂ、およびコントロール基板１０がほぼ同一平面内に位置づけられるように描かれているが、実際には該コントロール基板１０はゲート回路基板１５、ドイレン回路基板１６Ａ、１６Ｂの部分で屈曲されて液晶表示パネル１に対してほぼ直角になるように位置づけられるようになっている。
【００７７】
いわゆる額縁の面積を小さくさせる趣旨からである。ここで、額縁とは、液晶表示装置の外枠の輪郭と表示部の輪郭の間の領域をいい、この領域を小さくすることによって、外枠に対して表示部の面積を大きくできる効果を得ることができる。
〔液晶表示装置のモジュール〕
図３は、本発明による液晶表示装置のモジュールの一実施例を示す分解斜視図である。
【００７８】
同図の液晶表示装置は、大別して、液晶表示パネルモジュール４００、バックライト３００、樹脂枠体５００、中フレーム７００、上フレーム８００等からなり、これらはモジュール化されたものとなっている。
【００７９】
なお、この実施例では、前記樹脂枠体５００の底面においてバックライト３００の一部を構成する反射板が形成され、それら樹脂枠体５００とバックライト３００との物理的な区別は困難となるが、機能的には上述のように区別することができる。
【００８０】
以下、これら各部材を順次説明する。
〔液晶表示パネルモジュール〕
この液晶表示パネルモジュール４００は、液晶表示パネル１と、この液晶表示パネル１の周辺に搭載された複数の半導体ＩＣからなるゲート駆動ＩＣ５、ドレイン駆動ＩＣ６、およびこれら各駆動ＩＣの入力端子に接続されるフレキシブルなゲート回路基板１５とドレイン回路基板１６（１６Ａ、１６Ｂ）とから構成されている。
【００８１】
すなわち、後に詳述するコントロール基板１０からの出力はゲート回路基板１５およびドレイン回路基板１６Ａ、１６Ｂを介して液晶表示パネル１上のゲート駆動ＩＣ５、ドレイン駆動ＩＣ６に入力され、これら各駆動ＩＣの出力は該液晶表示パネル１の走査信号線３および映像信号線４に入力されるようになっている。
【００８２】
ここで、前記液晶表示パネル１は、上述したように、その表示領域部がマトリックス状に配置された多数の画素から構成され、このうちの一つの画素の構成は図４に示すようになっている。
【００８３】
同図において、マトリックス基板１Ａの主表面に、ｘ方向に延在する走査信号線３と対向電圧信号線５０とが形成されている。そして、これら各信号線３、５０と後述のｙ方向に延在する映像信号線４とで囲まれる領域が画素領域として形成されることになる。
【００８４】
すなわち、この実施例では、走査信号線３との間に対向電圧信号線５０が走行して形成され、その対向電圧信号線５０を境にして±ｙ方向のそれぞれに画素領域が形成されることになる。
【００８５】
このようにすることによって、ｙ方向に並設される対向電圧信号線５０は従来の約半分に減少させることができ、それによって閉められていた領域を画素領域側に分担させることができ、該画素領域の面積を大きくすることができるようになる。
【００８６】
各画素領域において、前記対向電圧信号線５０にはそれと一体となってｙ方向に延在された対向電極５０Ａがたとえば３本当間隔に形成されている。これら各対向電極５０Ａは走査信号線３に接続されることなく近接して延在され、このうち両脇の２本は映像信号線４に隣接して配置され、残りの１本は中央に位置づけられている。
【００８７】
さらに、このように走査信号線３、対向電圧信号線５０、および対向電極５０Ａが形成された透明基板１Ａの主表面には、これら走査信号線３等をも被ってたとえばシリコン窒化膜からなる絶縁膜が形成されている。この絶縁膜は後述する映像信号線４に対しては走査信号線３および対向電圧信号線５０との絶縁を図るための層間絶縁膜として、薄膜トランジスタＴＦＴに対してはゲート絶縁膜として、蓄積容量Ｃｓｔｇに対しては誘電体膜として機能するようになっている。
【００８８】
この絶縁膜の表面には、まず、その薄膜トランジスタＴＦＴの形成領域において半導体層５１が形成されている。この半導体層５１はたとえばアモルファスＳｉからなり、走査信号線３上において後述する映像信号線４に近接された部分に重畳されて形成されている。これにより、走査信号線３の一部が薄膜トランジスタＴＦＴのゲート電極を兼ねた構成となっている。
【００８９】
そして、この絶縁膜の表面にはそのｙ方向に延在しかつｘ方向に並設される映像信号線４が形成されている。この映像信号線４は、薄膜トランジスタＴＦＴを構成する前記半導体層５１の表面の一部にまで延在されて形成されたドレイン電極２Ａが一体となって備えられている。
【００９０】
さらに、画素領域における絶縁膜の表面には薄膜トランジスタＴＦＴのソース電極５３Ａに接続された画素電極５３が形成されている。この画素電極５３は前記対向電極５０Ａのそれぞれの中央をｙ方向に延在して形成されている。すなわち、画素電極５３の一端は前記薄膜トランジスタＴＦＴのソース電極５３Ａを兼ね、そのままｙ方向に延在され、さらに対向電圧信号線５０上をｘ方向に延在された後に、ｙ方向に延在するコ字形状となっている。
【００９１】
ここで、画素電極５３の対向電圧信号線５０に重畳される部分は、該対向電圧信号線５０との間に前記絶縁膜を誘電体膜とする蓄積容量Ｃｓｔｇを構成している。この蓄積容量Ｃｓｔｇによってたとえば薄膜トランジスタＴＦＴがオフした際に画素電極５３に映像情報を長く蓄積させる効果を奏するようにしている。
【００９２】
なお、前述した薄膜トランジスタＴＦＴのドレイン電極２Ａとソース電極５３Ａとの界面に相当する半導体層５１の表面にはリン（Ｐ）がドープされて高濃度層となっており、これにより前記各電極におけるオーミックコンタクトを図っている。この場合、半導体層５１の表面の全域には前記高濃度層が形成されており、前記各電極を形成した後に、該電極をマスクとして該電極形成領域以外の高濃度層をエッチングするようにして上記の構成とすることができる。
【００９３】
そして、このように薄膜トランジスタＴＦＴ、映像信号線４、画素電極５３、および蓄積容量Ｃｓｔｇが形成された絶縁膜の上面にはたとえばシリコン窒化膜からなる保護膜が形成され、この保護膜の上面には配向膜が形成されて、液晶表示パネル１のいわゆる下側基板を構成している。
【００９４】
なお、図示していないが、いわゆる上側基板となる透明基板（カラーフィルタ基板）１Ｂの液晶側の部分には、各画素領域に相当する部分に開口部を有するブラックマトリックス（図４の符号５４に相当する）が形成されている。
【００９５】
さらに、このブラックマトリックス５４の画素領域に相当する部分に形成された開口部を被ってカラーフィルタが形成されている。このカラーフィルタはｘ方向に隣接する画素領域におけるそれとは異なった色を備えるとともに、それぞれブラックマトリックス５４上において境界部を有するようになっている。
【００９６】
また、このようにブラックマトリックス、およびカラーフィルタが形成された面には樹脂膜等からなる平坦膜が形成され、この平坦膜の表面には配向膜が形成されている。
〔バックライト〕
液晶表示パネルモジュール４００の背面にはバックライト３００が配置されている。
【００９７】
このバックライト３００はいわゆる直下型と称されるもので、図５にその詳細を示している。同図において、図中ｘ方向に延在されｙ方向に並設される複数（図では８本）の等間隔に配置された線状の光源３５と、この光源３５からの光を前記液晶表示パネルモジュール４００の側へ照射させるための反射板３６とから構成されている。
【００９８】
この反射板３６は、たとえば光源３５の並設方向（ｙ方向）に波状に形成されている。すなわち、各光源３５が配置される個所において円弧状の凹部を有し、各光源３５の間において若干先鋭な凸部を有する形状をなし、各光源３５からの光の全てを前記液晶表示パネルモジュールの側へ照射させるのに効率的な形状となっている。
【００９９】
この場合、反射板３６は各光源３５の長手方向と直交する辺に側面３７が設けられ、この側面３７に形成されたスリット３８にそれぞれの光源３５の両端部が嵌め込まれ、該光源３５の並設方向の移動が規制されるようになっている。
【０１００】
これら光源３５のそれぞれはたとえば冷陰極線と称されるものが用いられ、その両端に形成された電極に電圧を印加させることによって点灯できる。
【０１０１】
また、光源３５としては、熱陰極蛍光灯、キセノンランプ、真空蛍光表示管等であってもようことはいうまでもない。
〔樹脂枠体〕
この樹脂枠体５００はモジュール化された液晶表示装置の外枠の一部を構成するもので、前記バックライト３００を収納するようになっている。
【０１０２】
ここで、この樹脂枠体５００は底面と側面とを有する箱型をなし、その側面の上端面はバックライト３００を覆って配置される拡散板（図示せず）を載置できるようになっている。
【０１０３】
この拡散板はバックライト３００の各光源３５からの光を拡散させる機能を有し、これにより、液晶表示パネルモジュール４００の側に明るさの偏りのない均一な光を照射させることができるようになっている。
【０１０４】
この場合、樹脂枠体５００はその肉厚が比較的小さく形成されている。それによる機械的強度の減少は後述する中フレーム７００によって補強することができるようになっているからである。
〔中フレーム〕
前記液晶表示パネルモジュール４００と拡散板（図示しない）との間には中フレーム７００が配置されるようになっている。
【０１０５】
この中フレーム７００は液晶表示パネルモジュール４００の表示領域部に相当する部分に開口４２が形成された比較的肉厚の薄い金属板から構成されている。
【０１０６】
そして、この中フレーム７００は前記拡散板を樹脂枠体５００に押さえつける機能と液晶表示パネルモジュール４００を載置させる機能を備えている。
【０１０７】
このため、液晶表示パネルモジュール４００が載置される中フレーム７００の上面の一部には該液晶表示パネル１を位置決めするためのスペーサ４４が取り付けられている。これにより、液晶表示パネル１は中フレーム７００に対して正確な位置決めができるようになっている。
【０１０８】
そして、この中フレーム７００には側面４６が一体的に形成された形状をなし、換言すれば、ほぼ箱型をなす金属板の底面に前記開口４２が形成された形状をなしている。
【０１０９】
このような形状の中フレーム７００は、拡散板を間に配置させた状態で、前記樹脂枠体５００に嵌め合わされるようになっている。換言すれば、樹脂枠体５００に対して中フレーム７００はその側面４６の内壁が前記樹脂枠体５００の側面の外壁と対向するように積載されるようになっている。
【０１１０】
このように構成される金属板の中フレーム７００は、樹脂枠体５００とともに一つの枠体（筐体）を構成することになり、樹脂枠体５００の肉厚を大きくすることなく、その機械的強度を向上させることができるようになる。
【０１１１】
すなわち、中フレーム７００および樹脂枠体５００のそれぞれは、その機械的強度が充分でなくても、それらが上述したように嵌め合わされることによって、機械的強度が向上し、とくに、箱体の対角線の周りの捻じれに対して強度を有するようになる。
〔上フレーム〕
この上フレーム８００は、液晶表示パネルモジュール４００、中フレーム７００、および拡散板を樹脂枠体５００の側に押さえる機能を有するとともに、該樹脂枠体５００とともに液晶表示装置のモジュールの外枠を構成するようになっている。
【０１１２】
この上フレーム８００はほぼ箱型の形状をなす金属板に液晶表示パネルモジュール４００の表示領域部に相当する部分に開口（表示窓）４８が形成され、前記樹脂枠体５００にたとえば係止されて取り付けられるようになっている。
《画像動き度合い検出回路》
図６は前記液晶表示パネル１に表示される画像の動き度合いを検出するための回路（この明細書では画像動き度合い検出回路と称する）の一実施例を示す回路図で、この画像動き検出回路はたとえば図２に示したコントロール基板１０等に搭載される。
【０１１３】
図において、まず、階調デコーダ１０２があり、この階調デコーダ１０２に入力表示データ１０１が入力されるようになっている。
【０１１４】
ここで、この入力表示データ１０１は、図示しないフレームメモリから出力されるようになっている。
【０１１５】
この入力表示データ１０１は０からＮまでの各階調をもつ多数の画素データからなり、前記階調デコーダ１０２ではこれら各画素データのそれぞれを前記階調毎に区分けし、それぞれの階調に応じてその階調に相当する画素データがある場合には、たとえば”１”の信号を出力し、ない場合にはたとえば”０”の信号を出力するようになっている。
【０１１６】
すなわち、階調デコーダ１０２は（Ｎ＋１）個の出力端子を備え、入力表示データ１０１から０階調の画素データの有無を示す信号、１階調の画素データの有無を示す信号、２階調の画素データの有無を示す信号、…、Ｎ階調の画素データの有無を示す信号をそれに対応する出力端子から出力するようになっている。
【０１１７】
ここで、階調デコーダ１０２は入力表示データ１０１にたとえばＮ階調の画素データが複数個あった場合であっても、その数には関係なく、対応する出力端子からは”１”の信号を出力するようになっている。
【０１１８】
そして、階調デコーダ１０２からの前記各出力は、それぞれ０階調レジスタ、１階調レジスタ、…、Ｎ階調レジスタからなる階調レジスタ群１０３に入力されるようになっている。
【０１１９】
すなわち、階調デコーダ１０２によって出力される０階調の画素データの有無を示す信号は０階調レジスタへ、１階調の画素データの有無を示す信号は１階調レジスタへ、…、Ｎ階調の画素データの有無を示す信号はＮ階調レジスタへ入力されるようになっている。
【０１２０】
これにより、階調レジスタ群１０３の各階調レジスタのそれぞれには”１”の信号および”０”の信号のうちいずれかが格納されることになる。
【０１２１】
さらに、各階調レジスタからの各出力は加算器１０４に入力されるようになっている。
【０１２２】
加算器１０４は各階調レジスタからの各出力を加算し、その加算した値に相当する信号を出力するようになっている。
【０１２３】
たとえば、０階調レジスタ、１階調レジスタ、…、Ｎ階調レジスタから、それぞれ全て”１”の信号が入力された場合には、それぞれの各信号の加算値（Ｎ＋１）に相当する信号が出力され、また、４階調レジスタおよび６階調レジスタから”１”の信号が入力され他の残りの各階調レジスタからは”０”の信号が出力された場合には、それぞれの各信号の加算値（２）に相当する信号が入力されるようになっている。
【０１２４】
このことから明らかなように、加算器１０４は入力表示データ１０１における階調の変化度合いを検出するようになっている。
【０１２５】
すなわち、加算器１０４は、入力表示データ１０１の階調の変化度合いを検出し、その変化度合いの大小によって、該入力表示データ１０１が静画像であるか動画像であるか、また動画像である場合には、その動きの大小までも前記加算器１０４の出力で判定できるようになっている。
【０１２６】
そして、加算器１０４からの出力はレジスタ１０５に入力されてホールドされた後にバックライト制御信号１０６として出力されるようになっている。
【０１２７】
なお、前記階調レジスタ群１０３の各階調レジスタ、およびレジスタ１０５にはそれぞれ垂直同期信号１０７が入力され、この垂直同期信号１０７によって前記各階調レジスタおよびレジスタ１０５をリセットするようになっている。
【０１２８】
これにより、レジスタ１０５からのバックライトへの制御信号は一画面に相当する入力表示データ毎に生成されるようになる。
《バックライト制御回路》
図７は、前記画像動き度合い検出回路からの出力が入力され、これにより前記バックライト３００の各光源３５の駆動を制御するバックライト制御回路（図中点線で囲まれた部分）を示している。
【０１２９】
同図において、画像動き度合い検出回路からの出力すなわち、バックライト制御信号１０６が入力される信号情報区分け回路１０８がある。
【０１３０】
この信号情報区分け回路１０８では、該バックライト制御信号１０６の情報によって、（１）静画像、（２）動画像であってその動きが遅いもの、（３）動画像であってその動きが普通のもの、（４）動画像であってその動きが速いもの、の４つに区分けするようになっており、その区分けに応じた信号をインバータ１０９に送出するようになっている。
【０１３１】
このインバータ１０９は、直流電圧を交流電圧への変換回路、電流制御回路、周波数変調回路、トランスによる昇圧回路等を含むものである。
【０１３２】
そして、静画像の区分けに対応する信号を入力したインバータ１０９は、図１の（ｂ）に示すように、バックライト３００の各光源を点灯状態に維持するように制御されるようになっている。
【０１３３】
また、動画像であってその動きが遅いものに対応する信号を入力したインバータ１０９は、図１の（ｃ）に示すように、バックライト３００の各光源を点灯状態と消灯状態とが繰り返すように制御されるようになっている。
【０１３４】
また、動画像であってその動きが普通のものに対応する信号を入力したインバータ１０９は、図１の（ｄ）に示すように、やはりバックライト３００の各光源にて点灯状態と消灯状態とが繰り返すが、その点灯状態の時間が前者の場合よりも小さくなるように制御されるようになっている。
【０１３５】
さらに、動画像であってその動きが速いものに対応する信号を入力したインバータ１０９は、図１の（ｅ）に示すように、やはりバックライト３００の各光源にて点灯状態と消灯状態とが繰り返すが、その点灯状態の時間が前者の場合よりもさらに小さくなるように制御されるようになっている。
【０１３６】
なお、図１において、その（ａ）は同期信号（データ書き換え周期：ここでは１６．７ｍｓ）を示しており、動画像の場合、バックライト３００は該同期信号と次の同期信号の間の期間内にて一回の点灯と一回の消灯がなされるようになっている。換言すれば、ゲート信号の入力開始時間に同期させてバックライト３００の点灯と消灯を繰り返すようになっている。
【０１３７】
また、動画像の動きが速ければ、すなわち、前記態様（２）ないし（４）になるに従い、前記バックライト３００の点灯と消灯において点灯のデューティが小さくなるようになっている。
【０１３８】
このようにすることによって、動画の視認性を向上させるとともに、動画の動きの速さに拘らず、該視認性の程度を同じにしている。
【０１３９】
また、この場合において、動画像が表示されている場合（前記態様（２）ないし（４）の場合）において、バックライトは点灯および消灯が繰り返されるため、電力の消費を抑制することができるようになる。
【０１４０】
図８（ａ）ないし（ｄ）は、それぞれ同期信号（画像情報の伝送タイミング）、画像表示信号、バックライト３００への点灯信号、バックライト３００から輻射される光の輝度波形を示している。
【０１４１】
バックライト３００への点灯信号は、該バックライト３００に第１電流（管電流）Ｉ1をΔｔ1の時間（第１の期間）供給させ、次いで、この第１電流よりも小さい第２電流（管電流）Ｉ2（＝０ｍＡ）をΔｔ2の時間（第２の期間）供給させるようにしている。
【０１４２】
そして、このようなバックライト３００への点灯信号は同期信号と同期されているとともに、（Δｔ1＋Δｔ2）の時間は各同期信号の周期（ここでは１６．７ｍｓ）と同じになっている。
【０１４３】
この場合、前記点灯信号において、Δｔ1＝Δｔ2の関係にある場合、５０％のデューティでバックライト３００に管電流を流していることになる。
【０１４４】
そして、図８に示す第１期間Δｔ1における電流ｉ1（６ｍＡ）を光源に供給する場合に、
（１）デューティ１００％（消灯期間Δｔ2＝０）のときの輝度を１００％、動画視認性を５段階評価の２とする。
（２）デューティ７５％では、輝度は約８０％に低下したが、バックライト３００からの光がインパルス発光に近づいたため、動画視認性は３となった。
（３）デューティ５０％では、輝度は約６０％に低下したが、動画視認性は４となった。
【０１４５】
このことから、図１に対応する図面である図９に示すように、デューティが小さくなるに従ってバックライト３００の各光源に供給する管電流（輝度波高値α）を順次増大させることによって、表示面の全体における輝度の低下を回避させながら、動画視認性を向上させることができる。
【０１４６】
さらに、デューティの変化に拘らず、バックライト３００の各光源に供給する管電流の実効値を一定とするようにした場合、表示面の全体における輝度を一定にさせることができる。
【０１４７】
図１０は、表示面の輝度と動画視認性関係を示した被検者テストの結果を示すグラフである。
【０１４８】
このグラフから明らかとなるように動画像の視認性は輝度が大きい程良好であるという現象がみられる。
【０１４９】
このことは、上述したように、バックライト３００の点灯と消灯を繰り返すことと、管電流を大きくする（輝度を大きくする）ことは、それぞれ動画像の視認性を向上させることの要素となり、デューティを小さくした場合に管電流を大きくすれば、相乗的な効果が得られる。
【０１５０】
また、図１１は、上記態様（２）ないし（４）の場合（画素ソース）において、そのいずれにおいても輝度を向上させた場合において、動画視認性の向上があることを示すグラフである。
【０１５１】
実施例２．
上述した実施例では、画像に動きがある場合に、バックライト３００の光源の点灯と消灯を繰り返すようにしたものである。
【０１５２】
しかし、表示部の画面が明るい場合と暗い場合とを検出し、画面が暗い場合にはバックライト３００の光源の点灯と消灯を繰り返すようにしてもよいことはいうまでもない。
【０１５３】
表示部に映像されるシーンがたとえば夜の場合において、その画面は全体的に暗くなり、その画面内で移動するたとえば被写体の輪郭の認識が困難となるからである。この場合にあっても、バックライト３００の光源の点灯と消灯を繰り返すことによって、該被写体に対する視認性を良好なものとすることができる。
【０１５４】
この場合、管電流を大きくさせないでバックライト３００の点灯と消灯を繰り返すようにしてもよい。画面は若干暗くなるが、画面内で移動する被写体に対する視認性は向上するからである。このようにした場合、電力の消費を低減させる効果も有する。
【０１５５】
表示部の画面が明るいか暗いからの検出手段は、たとえば、前記フレームメモリに格納されている各画素情報（この場合、フレームメモリの全域にわたる各画素情報、あるいは散点的に配置される選択された各画素情報でもよい。）の階調を検出し、その階調の平均した値を算出することによって簡単に構成することができる。
【０１５６】
そして、この場合、暗さの程度に応じて複数に区分けし、その区分けに応じて、点灯と消灯のデューティの比を変えるようにしても、また、点灯のデューティを小さくなった場合にはその分バックライト３００に供給する管電流の量を大きくしてもよいことはいうまでもない。
【０１５７】
実施例３．
図１２は、本発明による液晶表示装置の他の実施例を示す説明図である。
【０１５８】
同図は、液晶表示パネル１の表示面ＡＲを中央の領域ＡＲ0、およびその上下の各領域ＡＲ1、ＡＲ2というように３つの領域に観念上区分けさせ、中央の領域ＡＲ0における光の透過を担当するバックライト３００の各光源３５（０）に点灯と消灯を繰り返すようにし、上下の各領域ＡＲ1、ＡＲ2における光の透過を担当するバックライト３００の各光源３５（１）、３５（２）に点灯を維持させるようにしたものである。
【０１５９】
表示面ＡＲの中央は観察者の関心が集中する領域となり、この領域には動きのある被写体が映像されるのが通常となる。これは、撮影する側からみても、観察者の関心が集中する部分を表示面の中央にして撮影するという経験則からしても明らかとなる。
【０１６０】
このため、動画における動きのある部分は、ほぼ必然的に表示面の中央に位置づけられる可能性が高いという事実から、前もって表示面の中央を透過させるバックライト３００の各光源の点灯と消灯の繰返しを設定しておくようにしたものである。
【０１６１】
この場合、各光源の点灯と消灯の繰返しのデューティは固定されたものであってもよい。
【０１６２】
しかし、この表示面ＡＲの中央において、この部分の画像の動きを検出し、その動きに応じて光源の点灯と消灯の繰返しのデューティを変化させるようにしてもよいことはいうまでもない。
【０１６３】
この場合、前記フレームメモリの表示面の中央に相当する部分から入力表示データを出力させるようにすれば、たとえば図６および図７の技術をそのまま適用することができる。
【０１６４】
また、この実施例において、表示面の中央を除く上下の各領域ＡＲ1、ＡＲ2において、必ずしも該領域を透過させるバックライト３００の各光源に点灯を維持させる（常に点灯の状態）必要はなく、点灯と消灯を繰り返すようにして（ランプ消灯期間を真中の領域ＡＲ0のそれよりも小さくして）もよいことはもちろんである。
【０１６５】
要は、表示面の中央にて動きの速い動画が映像される確率が高いことに鑑み、その部分とそれ以外の部分とで、それらの部分透過させるバックライト３００の各光源の点灯状態を最適な状態に対応させるようにすればよい。
【０１６６】
また、光源の点灯のデューティを小さくした場合、管電流を大きくすることによって表示面の全体の輝度の均一性を保持するようにしてもよいことは上述したとおりである。
【０１６７】
さらに、画像が表示されている表示面の下部あるいは上部において該画像を背景として文字列が移動する表示態様があるが、この場合において、表示面の下部あるいは上部に相当する領域に光透過を行う光源に点灯および消灯を繰り返すような構成とするようにしてもよい。
【０１６８】
このようにした場合、移動する該文字列の各文字の視認性を向上させることができる。
【０１６９】
実施例４．
上述した各実施例では、そのいずれもが、いわゆる直下型と称されるバックライト３００を備える液晶表示装置について説明したものである。
【０１７０】
しかし、図１３に示すように、導光板を用いたいわゆるサイド型と称されるバックライトを備えたものにも適用できることはいうまでもない。なお、図１３（ａ）は平面図、図１３（ｂ）は（ａ）のｂ−ｂ線における断面図である。
【０１７１】
同図は、図示しない液晶表示パネルの背面に該液晶表示パネルとほぼ平行に配置された導光板を備え、この導光板の側面（図では、図中上下の各側面）に線状の光源８１が２個づつ配置されている。
【０１７２】
光源からの光は直接的にあるいは間接的（反射板８２を介して）に導光板８０の側面から導光板８０内に照射され、この導光板８０内で数回反射された後に、液晶表示パネルの対向面８０ａから、該液晶表示パネル側へ照射されるように構成されている。
【０１７３】
このようなバックライトは、液晶表示パネルの表示部を観念的に分割させた各領域において、照射を担当する光源を特定できないことから、表示部の一部の領域において光源の点灯および消灯をさせることができない。
【０１７４】
しかし、実施例１に示したように表示画像が静画像か動画像であるかを検知させ、あるいは実施例２に示したように明るい画面か暗い画面であるかを検知させて、表示面の全域においてそれぞれバックライトからの光の光源を点灯状態を維持させるか、あるいは点灯および消灯の繰返しを行うようにできる。
【０１７５】
また、同様に、動画像の速さに対応させて、あるいは暗い画面の程度に対応させて、バックライトからの光の光源の点灯および消灯の繰返しのデューティを小さくすることもできる。
【０１７６】
実施例５．
上述した各実施例において、たとえば各光源３５の全てに点灯と消灯を繰り返すように駆動させた場合、液晶表示パネル１の画面においてその中央部は特に問題となることはないが、その上下の両脇部に映像される像の輪郭が二重に見える現象が認識された。
【０１７７】
たとえば、図１４に示すように、画面の上下いっぱいに延在する棒状のパターンＲＰを左から右へ移動させるようにして映像させた場合、画面中央では該棒状のパターンの左端辺（エッジ）は鮮明に観察されるが、上端では該棒状のパターンの左端辺が中央のそれよりも早く立ち上がり薄い影が観察され、また、下端では該棒状のパターンの左端辺が中央のそれよりも応答が遅れるがやはり薄い影が観察される。
【０１７８】
この理由を図１５を用いて説明をする。まず、一画面（１フレーム）のデータがたとえば６０Ｈｚ（１６．７ｍｓ）毎に書き換えられるとすると、たとえば最上段（１本目）にあるゲート信号線ＧＬへの走査信号（ゲートＯＮ信号）の供給開始から最下段（ｎ本目）にあるゲート信号線ＧＬへの走査信号（ゲートＯＮ信号）の供給開始まで１６．７ｍｓの遅れがあることになる。
【０１７９】
この遅れは画面書き換え周期に依存し、周期が１２０Ｈｚ、２４０Ｈｚになるとその時間は短くなる。また、薄膜トランジスタＴＦＴを用いたものは、書き換え信号はゲート信号であるが、いわゆるＴＦＤあるいは時分割駆動では走査信号、コモン信号となる。
【０１８０】
このことは、画面上側から下側にかけて各画素の液晶の応答も遅れが生じることを意味する。
【０１８１】
しかし、バックライトの各光源３５の点灯と消灯が同じタイミングで繰り返された場合、この光源３５の点灯と消灯と前記液晶の応答波形の関係は図１５（ａ）に示すようになる。
【０１８２】
すなわち、光源３５の点灯期間における液晶の応答波形は図１５（ｂ）に示すようになり、この図１５（ｂ）に示す波形はそのまま液晶表示装置の観察者が認識できる輝度波形となる。
【０１８３】
この図１５（ｂ）から明らかとなるように、最上段のゲート信号線ＧＬに沿って形成される画素はその液晶の応答が見かけ上早くなり（図中ｎ／２本目のゲート信号線に沿って形成される画素の液晶の応答と比較して）、最下段のゲート信号線ＧＬに沿って形成される画素はその液晶の応答が見かけ上遅くなる（図中ｎ／２本目のゲート信号線に沿って形成される画素の液晶の応答と比較して）。そして、この図１５（ｂ）と前記図１４の対応関係は図１６に示すようになる。
【０１８４】
それ故、この実施例では、画面の上下において像の端辺に影が発生するのを抑制するもので、その説明を図１７を用いて説明する。
【０１８５】
図１７（ａ）は、バックライトの各光源（ランプ）３５を示しており、ここではたとえば前記光源３５が６本備えられたものを用いている。
【０１８６】
最上段（１本目）の光源３５は液晶表示装置の画面の上側を照射し、最下段（６本目）の光源３５は該画面の下側を照射し、他の各光源３５は該画面の中央部を照射するようになっている。
【０１８７】
ここで、２本目から５本目までの各光源３５にあって、上述した各実施例で示したように、点灯と消灯を繰り返すようにして駆動させるが、１本目の光源３５と６本目の光源３５は点灯を維持させるようにして駆動させている。
【０１８８】
図１７（ｂ）は前記各光源３５に対応させて、時間軸ｔに沿って点灯を示す期間を網掛けで示している。また、図１７（ｂ）には各光源３５に対向する位置に形成される液晶表示パネル内のゲート信号線ＧＬへの走査信号の供給タイミングをも示している。
【０１８９】
このようにすることによって、画面の上部および下部において、光源３５の常時点灯によって、液晶の応答の見かけ上の早い応答および遅い応答を無くすようにしている。
【０１９０】
図１８はこの実施例の効果を示した実験グラフである。画面上に１本目のゲート信号線ＧＬに対向する部分、ｎ／２本目のゲート信号線ＧＬに対向する部分、およびｎ本目のゲート信号線ＧＬに対向する部分のそれぞれにフォトダイオードを配置させ、画面表示を白から黒へ変化させた場合の各フォトダイオードの出力をオシロスコープで観察したものである。
【０１９１】
図中、上段の特性グラフは１本目のゲート信号線ＧＬに対向する部分に配置させたフォトダイオードの出力を、中段の特性グラフはｎ／２本目のゲート信号線ＧＬに対向する部分に配置させたフォトダイオードの出力を、下段の特性グラフはｎ本目のゲート信号線ＧＬに対向する部分に配置させたフォトダイオードの出力を示している。
【０１９２】
それぞれの各フォトダイオードの白から黒への変化出力に着目すると、それらはいずれもなだらかであり、しかも、その際のピーク値が各フォトダイオードにおいてあまり差がないことが確認される。ちなみにこの差が大きい場合においてその差が輝度差として観察者に認識され、動きのある映像パターンのエッジに二重像が顕れるようになる。また、ピーク輝度が同じでも各フレームの輝度積分値が異なる場合でも二重像が顕れるようになる。
【０１９３】
なお、この実施例では、画面を分割する場合、１本目の光源３５が担当する照射領域、２ないし５本目の各光源３５が担当する照射領域、および６本目の光源３５が担当する照射領域に分けたものである。
【０１９４】
しかし、この分割は、画面の中央部およびその両脇部として分ければよく、それらの各領域の面積は任意であってもよい。
【０１９５】
たとえば、図１７に示した図において、１本目の光源３５が担当する照射領域、２ないし４本目の各光源３５が担当する照射領域、および５および６本目の光源３５が担当する照射領域に分けるようにしてもよい。
【０１９６】
図１７（ｂ）に示すように、点灯および消灯を繰り返す光源３５は、その点灯の立ち下りがなだらかであることから、５本目の光源３５の点灯とそれに対向するゲート信号線ＧＬに供給される走査信号とが一致しなくなり、５本目の光源３５においても点灯を維持させた方が良好となる場合もあるからである。
【０１９７】
なお、以降の実施例の説明において、特に断りがない限り、光源３５の点灯状態の相違によって画される各領域の面積は特定されるものではなく、任意に定められるものとする。また、線状光源数によって特定することもなく、中央部でなく上あるいは下で点灯と消灯を繰り返すようにしてもよい。
【０１９８】
実施例６．
図１９は、本発明による液晶表示装置の他の実施例を示す説明図で、図１７に対応した図となっている。
【０１９９】
図１７の場合と比較して異なる構成は、まず、１本目の光源３５とｎ本目の光源３５をそのいずれにおいても点灯と消灯を繰り返すように駆動させている。
【０２００】
そして、各フレーム（画像）の順次表示の際において、各フレーム毎に、２本目ないし５本目に配置される各光源３５は位相を変えることなく点灯と消灯が繰り返され、１本目および６本目に配置される光源３５は位相がずれて点灯と消灯を繰り返されるようになっている。
【０２０１】
このようにした場合、各フレームの連続した表示において、２本目ないし５本目に配置される各光源３５の点灯と消灯は図１７に示すタイミングでなされるが、１本目および６本目に配置される光源３５の各点灯はそれ以前のフレームの表示の際の消灯を埋め合わせるかのようにしてなされ、数フレーム以降の表示の際には１本目および６本目に配置される光源３５は常時点灯されているように認識される。
【０２０２】
すなわち、本実施例は、１本目および６本目に配置される光源３５の点灯維持を時系列の面から行っているもので、実施例５に示した場合と同様の効果を奏する。
【０２０３】
図２０はこの実施例の効果を示した実験グラフであり、図１８の場合と同様の条件で得られたものである。図１８に示したと同様の特性を得られることが判明する。
【０２０４】
実施例７．
図２１は、本発明による液晶表示装置の他の実施例を示す説明図であり、図１９と対応した図となっている。
【０２０５】
図１９の場合と異なる構成は、１本目および６本目の各光源３５の点灯および消灯の周波数が、２本目ないし５本目の各光源３５の点灯および消灯の周波数よりも大きく設定されている。
【０２０６】
この場合、１本目および６本目の各光源３５の点灯および消灯は、各フレーム毎に位相をずらさないようにしている。
【０２０７】
このようにした場合、１本目の光源３５の配置領域に２本目の光源３５が照射され、また、６本目の光源３５の配置領域に５本目の光源３５が照射されて、１本目および６本目の各光源３５の消灯期間は、それぞれ、２本目および５本目の各光源３５の点灯によって埋め合わされるようになる。
【０２０８】
このため、１本目および６本目の各光源３５はほぼ点灯状態を維持するように認識され、実施例５および６に示したと同様の効果を奏する。
【０２０９】
なお、この実施例では、１本目および６本目の各光源３５の点灯および消灯は各フレーム毎に位相をずらさないようにしたものであるが、これに限定されず、各フレーム毎に位相をずらすようにしてもよいことはもちろんである。
【０２１０】
実施例８．
図２２は、本発明による液晶表示装置の他の実施例を示す説明図で、図２１に対応した図となっている。なお、この図２２では、各光源３５の点灯および消灯は最初の部分のみを示している。
【０２１１】
図２１の場合と比較して異なる構成は、まず、１本目および６本目の各光源３５の点灯および消灯の周期は、２本目ないし５本目の各光源３５の点灯および消灯の周期と同一（たとえば６０Ｈｚ、１２０Ｈｚ、１８０Ｈｚ、２４０Ｈｚ）となっている。
【０２１２】
そして、１本目および６本目の各光源３５の点灯のデューティは２本目ないし５本目の各光源３５の点灯のデューティよりも大きく設定されている。
【０２１３】
たとえば、１本目および６本目の各光源３５の点灯のデューティは７０％に、２本目ないし５本目の各光源３５の点灯のデューティは５０％に設定するのが好適である。
【０２１４】
このようにした場合、１本目および６本目の各光源３５は点灯を維持する状態に近くなり、実施例５ないし７とほぼ同様な効果を奏する。
【０２１５】
実施例９．
図２３は、本発明による液晶表示装置の他の実施例を示す説明図で、図１７に対応した図となっている。また、この図１７は光源３５に供給する電流の波形も併せて描いている。
【０２１６】
図１７に示した場合と比較して、１本目および６本目の各電源３５は点灯状態を維持させて駆動させることは同様であるが、この実施例の場合、その供給電流を２本目ないし５本目の各電源の供給電流よりも小さくしている。すなわち、これにより、電流の時間積分値を中央部と上部あるいは下部とで均等にしている。
【０２１７】
これにより、各光源３５の並設方向（画面下から画面上の方向）における輝度の分布は図２３（ｂ）に示すようになり、画面の上下で若干輝度が小さくなる。
【０２１８】
仮に、１本目および６本目の各電源３５の供給電流を２本目ないし５本目の各電源の供給電流と同じにした場合、画面の上下で中央部よりも輝度が大きくなってしまい、表示の視認性（均一度）が低下してしまい、表示品質上好ましくなくなるからである。
【０２１９】
なお、この実施例では、電流を下げることによって光源３５自体の輝度を低下させたものであるが、電圧を下げることによって輝度が低下する光源を用いている場合にはそのようにしてもよいことはいうまでもない。
【０２２０】
実施例１０．
図２４（ａ）は、本発明による液晶表示装置の他の実施例を示す説明図で、図２３（ａ）と対応した図となっている。
【０２２１】
図２３（ａ）と比較して異なる構成は、１本目および６本目の各光源３５に供給する電流は２本目ないし５本目の各光源３５に供給する電流とほぼ同じになっている。
【０２２２】
そして、各光源の３５の並設方向の断面図である図２４（ｂ）に示すように、１本目および６本目の各光源３５は２本目ないし５本目の各光源３５におけるそれらの配列ピッチより大きなピッチで隣接する他の光源３５と離間されている。
【０２２３】
これにより、１本目および６本目の各光源３５のそれぞれは比較的面積の大きな領域の照射を担当しなければならないことから見かけ上輝度を低下させることができる。
【０２２４】
そして、各光源３５の並設方向（画面下から画面上の方向）における輝度の分布を図２４（ｃ）に示すようにでき、実施例９に示したと同様な効果を得ることができる。
【０２２５】
なお、この実施例では、点灯を維持させる光源として画面上方および下方にそれぞれ１本づつ配置させたものである。しかし、これらをたとえば２本づつあるいは３本づつに配置させても、それらの配列ピッチを中央部に配置させる各光源の配列ピッチよりも大きくすることができる。また、光源の断面形状には依存しない。
【０２２６】
実施例１１．
図２５は、本発明による液晶表示装置の他の実施例を示す説明図で、図１７に対応した図となっている。
【０２２７】
図１７と比較して異なる構成は、各光源３５に供給する電流の大きさを制御できるようになっており、図２５（ａ）においては該電流を大きくし、図２５（ｂ）においては該電流を小さくしている。
【０２２８】
具体的には各光源３５に電源を供給する電源装置の間に電流調整手段を介在させることによって達成することができる。
【０２２９】
これにより、画面全体の輝度の調整を図ることができる効果を奏する。
【０２３０】
なお、他の実施例として、１本目および６本目の各電源３５に供給する電流の大きさを独立に制御するようにし、あるいは２本目ないし５本目の各電源３５に供給する電流の大きさを独立に制御するようにしてもよい。この場合、図２３に示したような構成に調整することができるようになる。
【０２３１】
また、各光源３５がそれに供給する電圧の大小を制御することによって輝度が変化するようなものである場合、供給電圧の大小を制御するようにしてもよい。
【０２３２】
実施例１２．
図２６は、本発明による液晶表示装置の他の実施例を示す説明図で、１本目および６本目の各電源３５の点灯のデューティ、および２本目ないし５本目の各電源３５の点灯のデューティを制御するように構成されたものである。
【０２３３】
たとえば、図２６（ａ）は、１本目および６本目の各電源３５の点灯のデューティを１００％、２本目ないし５本目の各電源３５の点灯のデューティを５０％と調整されているのに対し、図２６（ｂ）は、１本目および６本目の各電源３５の点灯のデューティを５０％、２本目ないし５本目の各電源３５の点灯のデューティを２５％と調整されている。このようにしても、画面全体の輝度の調整を図ることができる効果を奏する。
【０２３４】
なお、他の実施例として、１本目および６本目の各電源３５の点灯のデューティを独立に制御するようにし、あるいは２本目ないし５本目の各電源３５に供給する点灯のデューティを独立に制御するようにしてもよい。この場合、図２２に示したような構成に調整することができるようになる。
【０２３５】
実施例１３．
図２７は、本発明による液晶表示装置の他の実施例を示す説明図で、図２６と対応した図となっている。
【０２３６】
図２６と比較して異なる構成は、２本目ないし５本目の各光源３５の点灯期間の間に該点灯を休止させる休止期間を設けることにある。
【０２３７】
このようにした場合、画面の映像に生じるちらつきを大幅に抑制させることができる。
【０２３８】
なお、あるフレームの映像の際に図２７（ａ）に示す態様で各光源３５を点灯させ、次のフレームの映像の際に図２７（ｂ）に示す態様で各光源３５を点灯させ、さらに次のフレームの映像の際に図２７（ａ）に示す態様で各光源３５を点灯させるというように順次繰り返すようにしても画面の映像に生じるちらつきを抑制させることができる。
上述した実施例５ないし１３の説明においては、画面の中央の領域とその両脇（上下）の領域にそれぞれ対向する光源の点灯状態を異ならしめたものである。しかし、前記両脇の少なくとも一方の領域（上あるいは下の領域）と前記中央を含むそれ以外の領域にそれぞれ対向する光源の点灯状態を異ならしめるようにしてもよいことはいうまでもない。
【０２３９】
また、実施例１から１３のいずれの構成も、画像もしくはハード、ソフトいずれかのスイッチ等による処理によって適用、非適用を切り替える構成としてもよい。
【０２４０】
この場合、たとえばＰＣ画面時には全点灯、動画面時には実施例１から１３のいずれかの構成を用いることで静止画の画質と動画像の改善をより高いレベルで両立できるからである。特に、静止画時のフリッカ低減に有効である。
【０２４１】
また、動画時に静止画時より画面書き換え周波数を高くすることもフリッカ低減に有効である。
【０２４２】
むろん、これは実施例１から１３に開示の思想の場合に限定されるものではなく、バックライトの点灯と消灯を繰り返し表示する状態を有する構成であれば有効である。
【０２４３】
実施例１４．
上述した各実施例のいくつかでは、各光源３５の点灯と消灯を繰り返す場合に、たとえばゲート信号線３に供給される走査信号に同期させるが、図２８（ａ）に示すように、ある同期信号と次の同期信号の期間内（１フレームと定義される。６０Ｈｚ、１６．７ｍｓ）に、１回の輝度波高値１００％の光量からなる点灯と１回の輝度波高値０％の光量からなる消灯とが存在するものである。
【０２４４】
しかし、図２８（ｂ）に示すように、上記点灯の期間において、最初輝度波高値１００％の光量にし、次にそれ以下の光量、たとえば輝度波高値５０％の光量にするように駆動してもよいことはいうまでもない。本発明の目的を達成するには消灯の期間が存在すればよいからである。
【０２４５】
この場合、液晶の応答速度においてその立ち下りが遅い場合に、このような消灯を繰り返すことが有効となる。
【０２４６】
この趣旨から、図２８（ｃ）に示すように、点灯の期間において、最初たとえば輝度波高値を５０％程度の光量にし、次に輝度波高値を１００％の光量にするように駆動してもよいことはもちろんである。
【０２４７】
この場合、液晶の応答速度においてその立ち上がりが遅い場合に、このような消灯を繰り返すことが有効となる。
【０２４８】
さらに、図２８（ｄ）に示すように、点灯の期間において、最初輝度波高値を１００％から０％までのうちいずれかの値の光量にし、次に輝度波高値を１００％の光量にし、さらに、輝度波高値を１００％から０％までのうちいずれかの値の光量にするように駆動してもよいこともいうまでもない。
【０２４９】
この場合、液晶の応答速度においてその立ち上がりと立ち下りに差がある場合に、このような消灯を繰り返すことが有効となる。また、画面の均一性向上にも効果的となる。
【０２５０】
図２９は、たとえば図２８（ｂ）を例にして示すもので、消灯の際にその輝度波高値を必ずしも０％とすることはなく、それに近い値（たとえば約５％）としてもよいことを示している。
【０２５１】
このようにした場合、消灯の際の予熱により次の点灯の際の輝度を向上させることができ、特に、低温時あるいは電源投入開始直後の液晶表示装置の使用において有効となる。
【０２５２】
このことは、図２８（ａ）、図２８（ｃ）、図２８（ｄ）に示す駆動の場合にも同様に適用できることはいうまでもない。
【０２５３】
また、光源３５の点灯において、光量が異なる複数の状態が存在するようにしたものであるが、これらの各状態の時間的な割合を自由に制御できるようにしてもよいことはいうまでもない。点灯において、たとえば３値の各光量を時間的経過にともなって変化させる場合、たとえば最初の光量の時間を制御する場合、最初および次の光量のそれぞれの時間を制御する場合、さらにはそれぞれの光量の時間を制御する場合等が考えられる。要は、いずれか一つの値の光量を少なくとも制御するようにしてもよい。
【０２５４】
これは上述した実施例において点灯と消灯のデューティを変化せしめて最適な状態とする趣旨と同様の考えであり、これにより適切な光量配分ができるようになる。
【０２５５】
実施例１５．
実施例１４に示した光源３５の点灯と消灯の繰り返しにおいて、該点灯の光量を時間的に変化させる場合に、その変化をステップ的あるいは段差的に行うようにしたものである。
【０２５６】
しかし、図３０に示すように、該変化をアナログ的に連続的に変化させるようにしてもよいことはいうまでもない。
【０２５７】
光源３５として冷陰極線管あるいは発光ダイオードを用いた場合、その輝度の立ち上がりに２ないし３ｍｓの遅延が生じ、しかも同時間の残光特性を有するため、時間的に変化する輝度値はステップ的あるいは段差的ではなくアナログ的に連続的になる。
【０２５８】
このため、図３０に示すような光源３５の点灯を行うことにより、液晶の応答の立ち上がり、立ち下り特性も数ｍｓから１０ｍｓの応答時間があることも相俟って、むしろ自然な動画特性が得られることになる。
【０２５９】
実施例１６．
上述した各実施例では、各光源３５の点灯と消灯を繰り返す場合に、たとえばゲート信号線３に供給される走査信号に同期させたものである。
【０２６０】
しかし、液晶表示装置の観察は人間の目によってなされることに鑑みれば、各フレーム間周期で若干の遅延が生じても、時間平均値がほぼ一定である限り不都合はない。人間の目の輝度の感知は数ｍｓ毎の時間積分でなされるからである。
【０２６１】
このことから、たとえば図３１に示すように、各周期毎に点灯の立ち上がりにおいて、そのうちのいくつかがたとえば＋２ｍｓおよび−２ｍｓの遅延が生じたとしても、本発明の目的は充分に達成し得る。
【０２６２】
図３１に示すように、１周期目でゲート書き込み開始時期と点灯開始時期とが一致し、次の周期で＋２ｍｓの遅延が生じ、また、次の周期では遅延が０となり、さらに、次の周期で−２ｍｓの遅延が生じた場合、時間平均値からみれば遅延がほぼ０となり、人間が感知する輝度には変化が生じなくなるからである。
【０２６３】
実施例１７．
さらに、上述したように液晶表示装置の観察が人間の目によってなされることから、ゲート書き込み開始時期と光源３５の点灯開始時期との一致は程度的なものであり、厳格に解釈されるものではない。
【０２６４】
このことから、図３２に示すように、たとえば、１周期目でゲート書き込み開始時期と点灯開始時期とが一致し、次の周期で＋１ｍｓの遅延が生じ、また、次の周期では遅延が＋２ｍｓとなり、さらに、次の周期で＋３ｍｓの遅延が生じるようなことがあってもよいことはもちろんである。たとえば経験則から＋８ｍｓおよび−８ｍｓの範囲にある限り、本発明の目的は充分に達成し得る。
【０２６５】
１周期が６０Ｈｚの場合、遅延がこの程度である限り、実質的にゲート書き込み開始時期と光源３５の点灯開始時期は一致しているとみなすことができるからである。
【０２６６】
このことから、図３３に示すように、複数の光源（ランプ）３５において、そのいくつかが（同図においてはランプ１とランプ８）各周期に遅延が生じていてもよい。
【０２６７】
また、図３４に示すように、複数の各光源３５が特定の周期においてそれぞれ遅延が生じ、しかもそれらの遅延がそれぞれ異なるようなことがあってもよい。
【０２６８】
実施例１８．
上述した各実施例において、たとえばゲート書き込み周期が６０Ｈｚであったとして、遅延が１秒間で整数回発生しても（６１あるいは６２、５８あるいは５９Ｈｚに相当する）、表示観察に違和感がないことから、このようであってもよいことはもちろんである。
【０２６９】
実施例１９．
上述した各実施例において、ゲート書き込み時期と光源３５の点灯周期が整数倍異なる場合、たとえばゲート書き込み時期が６０Ｈｚで、光源３５の点灯周期が１２０Ｈｚの場合であっても、表示観察に違和感がないことが確かめられている。
【０２７０】
実施例２０．
上述した各実施例では、広い視野角を有するものとして知られているいわゆる横電界方式の液晶表示装置について説明したものである。この方式の液晶表示装置は白黒応答と中間調応答の差が小さい特性を有し、中間調表示の多いテレビあるいは映画などの動画表示に極めて有効となる。
【０２７１】
また、横電界方式の液晶表示装置は、その液晶分子が基板面に平行に配向し、基板面に平行な電界でその配向が変化するものである。しかし、このモードでいわゆる縦電界方式の液晶表示装置においても適用することができることはいうまでもない。
【０２７２】
このような液晶表示装置は白黒応答が速い特性を有しており、動画表示にはさらに有効となる。
【０２７３】
また、ネマチック液晶に限らず、スメクチック液晶等の強誘電性液晶であっても何ら不都合が生じない。
【０２７４】
実施例２１．
また、縦電界方式であって、液晶分子が基板面に平行に配向し（若干のチルト角は存在する）、かつねじれ構造を有するＴＮモードの液晶表示装置にも適用できることはもちろんである。
【０２７５】
この液晶表示装置は白黒応答が速い特性を有し、動画表示には有効となる。さらに、垂直配向方式の液晶表示装置に適用してもなんら不都合は生じない。
【０２７６】
実施例２２．
これまでの各実施例では、ゲート書き込み周期を６０Ｈｚとして説明してきたが、この周期期間中に複数回データ走査を行う場合、たとえば２回走査を行い走査周期を１２０Ｈｚとし、一回目に表示信号の書き込みを行い、二回目で黒表示データを書き込むような方法を採用してもよいことはもちろんである。
【０２７７】
この場合、黒データ書き込み時に光源３５が消灯するように６０Ｈｚで該光源３５を点滅させるようにすることにより、さらに光源３５の黒期間が鮮明となり動画表示が良好となる。
【０２７８】
そして、光源３５の点滅方法として、データ走査と同期させ、各光源３５のそれぞれにスキャン点滅させたり、上下２分割にしてそれぞれを交互に点滅させたり、点灯Ｄｕｔｙ４０％以上で一括点滅させるようにしてもよいことはもちろんである。
【０２７９】
また、光源４５の点滅の輝度比は１００％と０％の明暗２値でもよいが、黒データ書き込みを行うため、必ずしも輝度０％の必要はなく、たとえば５０％未満であれば同様の効果を奏することができる。光源３５の点滅は消灯期間の冷却効果を得ることも目的とするものであり、電力効率が良好でありさえすれば、必ずしも輝度を０、光源電力を０とする必要がないからである。
【０２８０】
実施例２３．
上述した実施例のうち、画像の動きを検出し、その動きに応じて光源３５の点灯と消灯の繰り返しのデューティを変化させるようにして動画視認性を向上させたものがある。
【０２８１】
しかし、該デューティの変化は上述した電気信号とは別の電気信号によってなされるようにしてもよいことはいうまでもない。
【０２８２】
液晶材料は一般的には低温で応答速度が遅く動画視認性が低く、高温では応答速度が速く動画視認性が高いことに鑑みて、図３５（ａ）に示す回路を具備させるようにしてもよい。
【０２８３】
図３５（ａ）は、温度検出器によって温度を検出し、この温度に対応したパルスをパルス生成部によって生成する。そして、生成されたパルスをインバータ回路点灯信号発生器に入力させ、その出力によって光源３５の点灯制御をするようになっている。
【０２８４】
前記温度検出器としてはたとえばサーミスタを液晶表示装置に取り付け、たとえば使用外周温度、装置の表面温度、光源３５の表面温度のいずれか１つを検知し、該温度と対応するデューティを有するパルス信号を生成する。
【０２８５】
温度が低い時には、光源３５の発光効率も低いので、図３５（ｂ）に示すように、パルスのデューティを長くし、むしろホールド型発光に近い連続発光にし、温度が高い時には、図３５（ｂ）に示すように、パルスのデューティを短くする。
【０２８６】
あるいは、他の方法として、低温では液晶の応答速度が遅いのであるから、その影響を避けるためによりＣＲＴ(Cathode  Ray  Tube)に近いインパルス型発光に近くするためデューティを小さくし、高温で液晶材料の応答速度が速いときはデューティを長くしてもよい。
【０２８７】
実施例２４．
液晶材料は一般的には低温で応答速度が遅く動画視認性が低く、高温では応答速度が速く動画視認性が高いことは上述したとおりである。
【０２８８】
そして、このことは特に液晶表示装置の電源投入後の使用時間により顕著になる。電源投入後に長時間経過後（約３０分後）において光源３５およびインバータ電源回路の発熱によって液晶材料は高温となってしまうからである。これは電源投入直後においては発熱の影響が少ないため液晶材料は低温になっていることを意味する。
【０２８９】
それ故、電源投入直後から時間経過にともなう温度変化の動画視認性への影響を回避するため、電源投入直後の温度が低い際にはデューティを長くし、むしろホールド型発光に近い連続発光にし、電源投入時間経過後の温度が高い際にはデューティを小さくする構成とするようにしてもよい。
【０２９０】
このようにすることによって、電源投入直後から常に動画視認性が一定の表示を行うことができる。
【０２９１】
また、実施例１４から２４のいずれの構成も、上述したように、画像もしくはハード、ソフトいずれかのスイッチ等による処理によって適用、非適用を切り替える構成としてもよいことはもちろんである。
【０２９２】
この場合も、たとえばＰＣ画面時には全点灯、動画面時には実施例１４から２４のいずれかの構成を用いることで静止画の画質と動画像の改善をより高いレベルで両立できるからである。特に、静止画時のフリッカ低減に有効である。
【０２９３】
また、動画時に静止画時より画面書き換え周波数を高くすることもフリッカ低減に有効であることももちろんである。
【０２９４】
むろん、これは実施例１４から２４に開示の思想の場合に限定されるものではなく、バックライトの点灯と消灯を繰り返し表示する状態を有する構成であれば有効である。
【符号の説明】
【０２９５】
１…液晶表示パネル、２…映像信号線、３…走査信号線、３５…光源、５３…画素電極、５０Ａ…対向電極、３００…バックライト。
【図１】
0005303622.tif 000002
【図２】
0005303622.tif 000003
【図３】
0005303622.tif 000004
【図４】
0005303622.tif 000005
【図５】
0005303622.tif 000006
【図６】
0005303622.tif 000007
【図７】
0005303622.tif 000008
【図８】
0005303622.tif 000009
【図９】
0005303622.tif 000010
【図１０】
0005303622.tif 000011
【図１１】
0005303622.tif 000012
【図１２】
0005303622.tif 000013
【図１３】
0005303622.tif 000014
【図１４】
0005303622.tif 000015
【図１５】
0005303622.tif 000016
【図１６】
0005303622.tif 000017
【図１７】
0005303622.tif 000018
【図１８】
0005303622.tif 000019
【図１９】
0005303622.tif 000020
【図２０】
0005303622.tif 000021
【図２１】
0005303622.tif 000022
【図２２】
0005303622.tif 000023
【図２３】
0005303622.tif 000024
【図２４】
0005303622.tif 000025
【図２５】
0005303622.tif 000026
【図２６】
0005303622.tif 000027
【図２７】
0005303622.tif 000028
【図２８】
0005303622.tif 000029
【図２９】
0005303622.tif 000030
【図３０】
0005303622.tif 000031
【図３１】
0005303622.tif 000032
【図３２】
0005303622.tif 000033
【図３３】
0005303622.tif 000034
【図３４】
0005303622.tif 000035
【図３５】
0005303622.tif 000036